【手続補正書】
【提出日】平成15年9月8日(2003.9.8)
【手続補正１】
【補正対象書類名】明細書
【補正対象項目名】特許請求の範囲
【補正方法】変更
【補正の内容】
【特許請求の範囲】
【請求項１】
支持体の一方の面に、反応体および該反応体と加熱時反応して着色体を形成する共反応体を主として含有する感熱記録層を設け、他方の面が、インクジェット適性を有することを特徴とする情報記録材料。
【請求項２】
該共反応体がイソシアナート化合物である請求項１記載の情報記録材料。
【請求項３】
該インクジェット適性を有する面が、５％イソプロピルアルコール水溶液で測定した３０秒コッブ吸水度が、７ｇ／ｍ2以上４０ｇ／ｍ2以下であることを特徴とする請求項１、２のいずれか一項記載の情報記録材料。
【請求項４】
該インクジェット適性を有する面が、カチオン性樹脂を含有することを特徴とする請求項１〜３いずれか一項記載の情報記録材料。
【請求項５】
該支持体の他方の面に、インクジェット適性を有するインク受理層を設けたことを特徴とする請求項１、２のいずれか一項記載の情報記録材料。
【請求項６】
該インク受理層が、顔料と接着剤を含有する層であることを特徴とする請求項５記載の情報記録材料。
【請求項７】
該顔料が多孔性合成非晶質シリカ、コロイダルシリカ、多孔性炭酸マグネシウム、多孔性アルミニウム水和物から選ばれた少なくとも１種である請求項６記載の情報記録材料。
【請求項８】
該インク受理層が、カチオン性樹脂を含有することを特徴とする請求項５〜７いずれか一項記載の情報記録材料。
【請求項９】
該支持体と感熱記録層の間に一層以上の中間層を設けたことを特徴とする請求項１、２、或いは５のいずれか一項記載の情報記録材料。
【請求項１０】
該中間層の少なくとも一層が溶剤不透過層であることを特徴とする請求項９記載の情報記録材料。
【請求項１１】
該溶剤不透過層が水溶性高分子またはラテックス類のいずれか１種を含有することを特徴とする請求項１０記載の情報記録材料。
【請求項１２】
該インク受理層を設けた支持体と感熱記録層を設けた支持体を貼り合わせることで一体化してなることを特徴とする請求項５記載の情報記録材料。
【請求項１３】
該感熱記録層の上に、保護層を設けたことを特徴とする請求項１，５，９或いは１２記載の情報記録材料。
【請求項１４】
該記録材料の不透明度が８０％以上であることを特徴とする請求項１，５，９、１２或いは１３記載の情報記録材料。
【手続補正２】
【補正対象書類名】明細書
【補正対象項目名】０００９
【補正方法】削除
【補正の内容】
【手続補正３】
【補正対象書類名】明細書
【補正対象項目名】００１０
【補正方法】変更
【補正の内容】
【００１０】
２．上記の発明１において、共反応体がイソシアナート化合物である情報記録材料である。


【手続補正４】
【補正対象書類名】明細書
【補正対象項目名】００１１
【補正方法】変更
【補正の内容】
【００１１】
３．上記の発明１、２のいずれかにおいて、該インクジェット適性を有する面が、５％イソプロピルアルコール水溶液で測定した３０秒コッブ吸水度が、７ｇ／ｍ2以上４２ｇ／ｍ2以下であることを特徴とする情報記録材料である。


【手続補正５】
【補正対象書類名】明細書
【補正対象項目名】００１２
【補正方法】変更
【補正の内容】
【００１２】
４．上記の発明１〜３のいずれかにおいて、該インクジェット適性を有する面が、カチオン性樹脂を含有することを特徴とする情報記録材料である。


【手続補正６】
【補正対象書類名】明細書
【補正対象項目名】００１３
【補正方法】変更
【補正の内容】
【００１３】
５．上記の発明１、２のいずれかにおいて、支持体の他方の面に、インクジェット適性を有するインク受理層を設けたことを特徴とする情報記録材料である。


【手続補正７】
【補正対象書類名】明細書
【補正対象項目名】００１４
【補正方法】変更
【補正の内容】
【００１４】
６．上記の発明５において、該インク受理層が、顔料と接着剤を含有する層であることを特徴とする情報記録材料である。


【手続補正８】
【補正対象書類名】明細書
【補正対象項目名】００１５
【補正方法】変更
【補正の内容】
【００１５】
７．上記の発明６において、該顔料が多孔性合成非晶質シリカ、コロイダルシリカ、多孔性炭酸マグネシウム、多孔性アルミニウム水和物から選ばれた少なくとも１種である情報記録材料である。


【手続補正９】
【補正対象書類名】明細書
【補正対象項目名】００１６
【補正方法】変更
【補正の内容】
【００１６】
８．上記の発明５〜７のいずれかにおいて、該インク受理層が、カチオン性樹脂を含有することを特徴とする情報記録材料である。


【手続補正１０】
【補正対象書類名】明細書
【補正対象項目名】００１７
【補正方法】変更
【補正の内容】
【００１７】
９．上記の発明１，２或いは５において、支持体と感熱記録層との間に一層以上の中間層を設けたことを特徴とする情報記録材料である。


【手続補正１１】
【補正対象書類名】明細書
【補正対象項目名】００１８
【補正方法】変更
【補正の内容】
【００１８】
１０．上記の発明９において、該中間層の少なくとも一層が溶剤不透過層であることを特徴とする情報記録材料である。


【手続補正１２】
【補正対象書類名】明細書
【補正対象項目名】００１９
【補正方法】変更
【補正の内容】
【００１９】
１１．上記の発明１０において、該溶剤不透過層が水溶性高分子またはラテックス類のいずれか１種を含有することを特徴とする情報記録材料である。


【手続補正１３】
【補正対象書類名】明細書
【補正対象項目名】００２０
【補正方法】変更
【補正の内容】
【００２０】
１２．上記の発明５において、該インク受理層を設けた支持体と感熱記録層を設けた支持体を貼り合わせることで一体化してなることを特徴とする情報記録材料である。


【手続補正１４】
【補正対象書類名】明細書
【補正対象項目名】００２１
【補正方法】変更
【補正の内容】
【００２１】
１３．上記の発明１，５，９或いは１２において、該感熱記録層の上に、保護層を設けたことを特徴とする情報記録材料である。


【手続補正１５】
【補正対象書類名】明細書
【補正対象項目名】００２２
【補正方法】変更
【補正の内容】
【００２２】
１４．上記の発明１，５，９，１２或いは１３において、該記録材料の不透明度が８０％以上であることを特徴とする情報記録材料である。


【手続補正１６】
【補正対象書類名】明細書
【補正対象項目名】００９３
【補正方法】変更
【補正の内容】
【００９３】
接着樹脂の塗布形状も有機溶剤系、水溶液系、エマルジョン系、無溶剤系、反応硬化系、あるいはホットメルトタイプであってもさしつかえない。接着樹脂の硬化方法は自然硬化、酸化硬化、加熱硬化、付加重合、縮合重合、加熱乾燥、２液硬化、あるいは放射線硬化であってもさしつかえないが、感熱記録層あるいはインク受理層を劣化させるものであってはならない。


【手続補正１７】
【補正対象書類名】明細書
【補正対象項目名】００９７
【補正方法】変更
【補正の内容】
【００９７】
水性インクは、着色剤、液媒体、その他の添加剤からなる記録液体が挙げられる。着色剤としては、直接染料、酸性染料、塩基性染料、反応性染料或いは食品用色素等の水溶性染料の他、有色顔料も用いることができる。


【手続補正１８】
【補正対象書類名】明細書
【補正対象項目名】０１０６
【補正方法】変更
【補正の内容】
【０１０６】
実施例５
実施例４で作製された本発明の情報記録材料において、実施例４で用いたインク受理層の代わりに下記のインク受理層を設けること以外は、実施例４と同様にして、実施例５の情報記録材料を製造した。
すなわち、インク受理層組成物として、超微粒子無機顔料としてコロイダルシリカ１００部、接着剤としてポリビニルアルコール１０部を調液し、固形分濃度３０％とした。調製したインク受理層塗液を用いて、エアーナイフコータにより塗工量７ｇ／ｍ2となるように塗工、乾燥すること以外は、実施例４と同様にして、実施例５の情報記録材料を製造した。


【手続補正１９】
【補正対象書類名】明細書
【補正対象項目名】０１１２
【補正方法】変更
【補正の内容】
【０１１２】
実施例１１
実施例７で作製された本発明の情報記録材料において、支持体の作製において、紙支持体の坪量を４３ｇ／ｍ2とし、感熱記録層と支持体の間に、下記の中間層を設けること以外は、実施例７と同様にして、実施例１１の情報記録材料を製造した。
すなわち、中間層組成物として、１０％ポリビニルアルコール１００部、２０％シリカ（水澤化学製、ミズカシルＰ５２７）５０部を、エアーナイフコータにより塗工量３ｇ／ｍ2となるように塗工、乾燥すること以外は、実施例７と同様になお、情報記録材料の不透明度は８０％であった。


【手続補正２０】
【補正対象書類名】明細書
【補正対象項目名】０１２０
【補正方法】変更
【補正の内容】
【０１２０】
＜感熱記録適性評価＞
（１）感熱記録画像濃度
実施例１〜１５および比較例１〜３で作製した情報記録材料の感熱記録層が設けられている方の面に、抵抗値１６４５Ωのサーマルヘッドを装着した大倉電気製感熱ファクシミリ印字試験装置を用いてドット密度８ドット／ｍｍ、印加電圧２１Ｖ、パルス幅１．２ｍｓの条件で印字したところ、いずれの実施例、比較例からも発色画像を得た。画像の光学濃度をマクベスＲＤ９１８（ビジュアルフィルター）にて測定したところ、いずれも１．２以上の光学濃度を示し、実施例、比較例ともに感熱記録が可能であった。


【手続補正２１】
【補正対象書類名】明細書
【補正対象項目名】０１２５
【補正方法】変更
【補正の内容】
【０１２５】
（４）画像濃度
実施例１〜１０および比較例１〜２で作製した情報記録材料の感熱記録層を設けていない面に、インクジェットプリンタ（ＢＪＣ−４２０Ｊ：キヤノン株式会社製）を用いて、ブラック、シアン、マゼンタ、イエローのベタ印刷部をそれぞれに印刷する。このとき、各色のベタ印刷部を、反射濃度計（マクベスＲＤ９１８、マクベス社製）を用いて測定した。その結果を表１にまとめた。評価は５段階であり、３点以上であれば実用レベルである。


【手続補正２２】
【補正対象書類名】明細書
【補正対象項目名】０１２７
【補正方法】変更
【補正の内容】
【０１２７】
（５）耐水性
実施例１〜１０および比較例１〜２で作製した情報記録材料の感熱記録層を設けていない面に、インクジェットプリンタ（ＢＪＣ−４２０Ｊ：キヤノン株式会社製）を用いて、ブラック、シアン、マゼンタ、イエローのベタ印刷部をそれぞれに印刷する。このとき、各色のベタ印刷部を、流水中に１０分間浸し、残存率（残存率＝処理後の反射濃度／原画像の反射濃度）を測定した。その結果を表１にまとめた。評価は５段階であり、３点以上は実用レベルである。